(57)【要約】      （修正有）【課題】室内からは屋外をより鮮明に透視でき、逆に屋外からは室内が見えにくい特性の遮光窓を提供する。【解決手段】ガラスの内側と外側には画面の奥行き方向に、不透明な帯状の遮線２と透明な隙間３からなる縞状の室内側ストライプ４と屋外側ストライプ５が印刷されている。また、室内側ストライプ４と屋外側ストライプ５のそれぞれは、黒色など光の反射率が低い色調の低反射ストライプ６と、白色など反射率が高い色調の高反射ストライプ７を重ね刷りしたもので、室内側に低反射ストライプ６、屋外側に高反射ストライプ７が位置するように構成されている。【選択図】図１
0003121356.tif 000002
【実用新案登録請求の範囲】
【請求項１】
ストライプを印刷した透明なガラス窓において、光の反射率が低い色調の低反射ストライプを室内側に、より反射率の高い色調の高反射ストライプを屋外側になるように重ね刷りしたことを特徴とする遮光窓。
【請求項２】
窓ガラスの両面にストライプを印刷する複層ストライプ遮光法を用いたガラス窓において、屋外側のストライプを光の反射率が低い色調の低反射ストライプと、より反射率の高い色調の高反射ストライプの重ね刷りにし、そのうち反射率の低い低反射ストライプを室内側に配置するように構成したことを特徴とする遮光窓。
【考案の詳細な説明】
【技術分野】
【０００１】
本考案は、太陽直射光からの遮光や、屋外からの覗き見を防止するために窓ガラスにストライプを印刷した遮光窓の改良に関するものである。
【背景技術】
【０００２】
直射光から遮光したり、外からの覗き見を防止する遮光方法として、カーテンやブラインドを使ったり、一部が透視できるように模様を描く方法などが広く実用されている。また、ガラスの厚みと屈折率を応用して直射光の射し込みを阻止防眩したり、外から目隠しをする方法としてストライプをガラスの両面に印刷する複層ストライプ遮光法が提案されている。
【特許文献１】特願２００５−１０９２８５
【０００３】
本考案は窓ガラスにストライプを印刷して遮光する遮光窓の改良に関するものである。
【考案の開示】
【考案が解決しようとする課題】
【０００４】
ガラスの両面にストライプを印刷して遮光する方法は、ガラスの厚みに対して数分の１から数倍の太さの遮線と隙間からなる格子状のストライプを印刷したもので、その隙間を通して屋外を透視したり採光する方法である。外から見られないように目隠しをしたい場合、屋外にいる人にとってストライプが明るく輝いて相対的に室内が見えにくくなるように、白色など光の反射率が高いストライプが適している。一方、室内から隙間を通して屋外を透視したい人にとっては、ストライプが目障りにならないように反射率の低い黒色などのストライプが適している。本考案はこの矛盾を解消できる遮光窓を提供することにある。
【課題を解決するための手段】
【０００５】
本考案の遮光窓は、重ね刷りによってストライプの室内側を反射率の低い色調に、また、ストライプの屋外側を反射率の高い色調で構成することで、室内からは屋外が透視しやすく、屋外からは室内が見えにくい特性とすることで前記課題を解決するものである。
【考案の効果】
【０００６】
本考案の遮光窓ではストライプを重ね刷りにする方法であるため、ストライプの室内側を反射率の低い色調に、ストライプの屋外側をより反射率の高い色調に選択でき、その結果、室内からは屋外が透視しやすく、屋外からは室内が見えにくい状態を作ることができる。重ね刷りでストライプの室内側と屋外側の色調を切り離して選択できるため、例えば室内側を黒色の印刷にした場合でも、屋外側を直射光の遮光のために反射率の高い白色や金属蒸着膜にしたり、建物の屋外景観の観点から雰囲気に合った色調にしたり、広告文字や各種の画像や模様を印刷することもできる。逆に屋外側の色調に関係なく屋内側のストライプを部屋の雰囲気に適した反射率の低い色調で印刷することも可能となる。
【考案を実施するための最良の形態】
【０００７】
ストライプは窓ガラスに直接印刷する方法の他に、ストライプを印刷したフィルムを窓ガラスに貼り付ける方法が考えられる。また、ガラスなど透明板の両面にストライプを印刷する複層ストライプ遮光法の場合でも、ガラスの両面に印刷する方法の他に、両面に印刷したフィルムをガラスに貼り付ける方法や、片面に印刷したガラスを２枚重ねて合わせガラスとして形成する方法も考えられる。いずれの方法においても、それぞれのストライプを重ね刷りにすることによって、室内から透視しやすく、外から見られにくい窓にすることができるものである。なお、段差を設けない仕様の複層ストライプ遮光法においては、外から見る人にとって室内側のストライプは殆ど見えないから、屋外側のストライプだけを重ね刷りにするだけで殆ど同じ効果が期待できる。
【実施例】
【０００８】
図１は、複層ストライプ遮光法を応用した本考案遮光窓の断面図である。１は本体となる窓ガラスで、ガラスの内側と外側には画面の奥行き方向に、不透明な帯状の遮線２と透明な隙間３からなる縞状の室内側ストライプ４と屋外側ストライプ５が印刷されている。また、室内側ストライプ４と屋外側ストライプ５のそれぞれは、黒色など光の反射率が低い色調の低反射ストライプ６と、白色など反射率が高い色調の高反射ストライプ７を重ね刷りしたもので、室内側に低反射ストライプ６、屋外側に高反射ストライプ７が位置するように構成されている。
【０００９】
複層ストライプ遮光法の作用を図面において説明すると、室内側ストライプ４と屋外側ストライプ５は同一ピッチで、所定の段差αを持って印刷されている。この段差αは例えば、高層階の窓で水平方向から差し込む日の出から日没までの直射光を完全に遮光し、一方で水平以下の地上の様子が見えるような条件に設定したい場合には、遮線の幅２を隙間３の幅のほぼ２倍にするとともに、この段差を隙間幅の分だけ食い違わせればよいことになるが、必要な段差αの程度は窓の取付方角や遮光範囲によって異なるものである。
【００１０】
仮に段差αが０、つまり室内側と屋外側のストライプの位置が同じ高さで段差のない場合においては、室内側と屋外側のストライプの隙間３を透して水平方向に向こう側の景色を透視できることになる。同時に、斜め上方から隙間３に差し込む太陽直射光ｋは、窓ガラスに入射するとガラスの屈折率に応じて屈折してガラス内を進行するが、その多くは室内側ストライプ４の遮線２で進行を阻止されて屋内側に透過できないことになる。遮線２の幅と隙間３の幅、室内側と屋外側の遮線の段差αを適切に選択することで、遮光したい方角と範囲、透視したい方角と範囲を任意に調整することが可能である。このように複層ストライプ遮光法はガラスの屈折率を利用して入射する光線を選択的に遮断したり透過させて、光線を透過範囲と遮断範囲に分割し、透視できる方角と遮光できる方角を分離する遮光法である。
【００１１】
屋外を透視できることは窓の基本的機能として優先されるが、一方で一般的に外からは見られたくないものである。つまり、室内からは屋外がよく見えて、反面で外からは室内が見えない方が望ましい。ストライプを使った遮光方法で屋外をより透視しやすくするには、ストライプを黒色など反射率の低い色調で目立たないように印刷することでより鮮明に透視することができる。逆に外から室内が見られないようにするには、ストライプを白色など反射率の高い色調で目立つように印刷することで相対的に暗い昼間の室内を見えにくくすることができる。また、直射光をはね返して夏期の冷房負荷を軽減するためにも屋外側は反射率の高い色調が望ましい。
【００１２】
本考案の遮光窓は室内側のストライプを反射率の低い色調の低反射ストライプ６に、屋外側のストライプを反射率の高い色調の高反射ストライプとなるように重ね刷りしたものである。このため、室内から屋外を透視する人に対しては室内側の反射率の低いストライプに遮られて屋外側の反射率の高いストライプは見えないので最も鮮明に景色を見ることができる。逆に屋外からは反射率の高いストライプが目障りになって相対的に室内を最も見にくい状態にすることができる。
【００１３】
なお、反射率の高い屋外側のストライプは目立ちやすいので、わずかでも室内側に位置するストライプよりも太くてはみ出した状態に印刷されると、そのはみ出した部分が強調されるように見えて室内側からの透視の鮮明度を低下させることになる。これを防ぐには、反射率の高い屋外側ストライプの線幅を室内側よりもわずかに細くすることで解決できる。
【００１４】
以上のごとく本考案の遮光窓は、反射率の異なる色調のストライプを重ね刷りした構成であるため、室内からは屋外をより鮮明に透視でき、逆に屋外からは室内が見えにくい特性の遮光窓を提供できるものである。
【産業上の利用可能性】
【００１５】
本考案の遮光窓では直射光の遮光と目隠しの機能に加えて屋外を鮮明に透視できるが、屋外側のストライプに更に模様や画像、広告文などを重ね刷りをすることで窓全体を広告面にしたり、景観を整えるために役立てることができる。また、重ね刷りをしても室内側からその広告などの表現が見えないので室内の雰囲気を損なう恐れがない。
【図面の簡単な説明】
【００１６】
【図１】複層ストライプ遮光法を応用した本考案遮光窓の説明図である。
【図２】本考案による遮光窓のガラス正面図である。
【符号の説明】
【００１７】
１    窓ガラス
２    遮線
３    隙間
４    内側ストライプ
５    外側ストライプ
６    低反射ストライプ
７    高反射ストライプ
α    段差
【図１】
0003121356.tif 000003
【図２】
0003121356.tif 000004